(57)【要約】【課題】  可及的に良好な再生画像を得ることができるようにする。【解決手段】  スチル再生の指示があると、再生画面をフリーズし（Ｓ４０１）、サブコード２５内にあるABSトラックナンバを現在のトラック番号として記憶し（Ｓ４０２）、この現在のトラック番号を含むＥＣＣユニットの次のＥＣＣユニットにおける最終のトラック番号を、現在のトラック番号に基づいて算出する（Ｓ４０３）。そして、次のトラックを再生した後（Ｓ４０４）、再生中のトラック番号が前記算出した最終のトラック番号になると（Ｓ４０５、Ｓ４０６のＹＥＳ）、磁気記録テープ１の搬送を停止する。この様にして磁気記録テープ１の停止位置を制御することで、スチル再生時において、二つのＥＣＣユニットの境界部分を磁気ヘッドが走査することができ、再生データ中で訂正不能となるエラーの数を減らすことが可能となる。【選択図】  図４
2006295644.tif 000002
【特許請求の範囲】
【請求項１】
磁気テープに形成された複数のトラックを回転ヘッドにより走査し、ｎトラック（ｎは２以上の整数）単位でエラー訂正符号化されて記録された動画像データを再生する再生手段と、
前記磁気テープを搬送する搬送手段と、
前記磁気テープの搬送と停止を繰り返しながら前記動画像データを再生する特殊再生モードにおいて前記磁気テープを停止する際、前記エラー訂正符号化単位の境界となるトラックを前記回転ヘッドが走査する位置で前記磁気テープを停止するよう前記搬送手段を制御する制御手段とを備えることを特徴とする再生装置。
【請求項２】
磁気テープに形成された複数のトラックを回転ヘッドにより走査し、ｎトラック（ｎは２以上の整数）単位でエラー訂正符号化されて記録された動画像データを再生する再生手段と、
前記磁気テープを搬送する搬送手段と、
前記磁気テープの搬送と停止を繰り返しながら前記動画像データを再生する特殊再生モードにおいて前記磁気テープを停止する際、前記ｎトラックを単位として前記磁気テープの搬送を停止するよう前記搬送手段を制御する制御手段とを備えることを特徴とする再生装置。
【請求項３】
磁気テープに形成された複数のトラックを回転ヘッドにより走査し、ｎトラック（ｎは２以上の整数）単位でエラー訂正符号化されて記録された動画像データを再生する再生手段と、
前記磁気テープを搬送する搬送手段と、
前記磁気テープの搬送を停止すると共に再生画面をフリーズ表示するスチル再生の指示に応じて前記磁気テープを停止する際、前記エラー訂正符号化単位の境界となるトラックを前記回転ヘッドが走査する位置で前記磁気テープを停止するよう前記搬送手段を制御する制御手段とを備えることを特徴とする再生装置。
【請求項４】
前記再生手段は、前記動画像データと共に記録されているトラック番号情報も再生し、
前記制御手段は、前記再生手段により再生されたトラック番号情報に基づいて、前記磁気テープの搬送を停止する際の目標となるトラックを決定することを特徴とする請求項１〜３の何れか１項に記載の再生装置。
【請求項５】
磁気テープに形成された複数のトラックを回転ヘッドにより走査し、ｎトラック（ｎは２以上の整数）単位でエラー訂正符号化されて記録された動画像データを再生する画像再生方法であって、
前記磁気テープの搬送と停止を繰り返しながら前記動画像データを再生する指示を受け付ける指示受付ステップと、
前記指示受付ステップにより受け付けられた指示に基づいて前記磁気テープを停止する際、前記エラー訂正符号化単位の境界となるトラックを前記回転ヘッドが走査する位置で前記磁気テープを停止させる磁気テープ停止ステップとを有することを特徴とする画像再生方法。
【請求項６】
磁気テープに形成された複数のトラックを回転ヘッドにより走査し、ｎトラック（ｎは２以上の整数）単位でエラー訂正符号化されて記録された動画像データを再生する画像再生方法であって、
前記磁気テープの搬送と停止を繰り返しながら前記動画像データを再生する指示を受け付ける指示受付ステップと、
前記指示受付ステップにより受け付けられた指示に基づいて前記磁気テープを停止する際、前記ｎトラックを単位として前記磁気テープの搬送を停止させる磁気テープ停止ステップとを有することを特徴とする画像再生方法。
【請求項７】
磁気テープに形成された複数のトラックを回転ヘッドにより走査し、ｎトラック（ｎは２以上の整数）単位でエラー訂正符号化されて記録された動画像データを再生する画像再生方法であって、
前記動画像データをスチル再生する指示を受け付ける指示受付ステップと、
前記指示受付ステップにより受け付けられた指示に基づいて前記磁気テープを停止する際、前記エラー訂正符号化単位の境界となるトラックを前記回転ヘッドが走査する位置で前記磁気テープを停止させる磁気テープ停止ステップとを有することを特徴とする画像再生方法。
【発明の詳細な説明】
【技術分野】
【０００１】
本発明は再生装置及び画像再生方法に関し、特に磁気テープより動画像データを再生するために用いて好適なものである。
【背景技術】
【０００２】
従来から、動画像データをデジタル信号として磁気テープに記録再生するデジタルＶＴＲが知られている（例えば、特許文献１を参照）。デジタルＶＴＲにおいては、通常、１フレームの画像データを複数のトラックにわたって記録している。そして、特許文献１では、この様に記録された動画像データの再生時において、再生フレームの位相と基準フレームの位相とを合わせるために、磁気テープの搬送を停止する際に、停止している位置のテープのトラック番号を検出しておき、再生開始時に、検出しておいたトラック番号に応じて、前記基準フレームに対するテープ走行開始の起動タイミングを求め、この起動タイミングでテープの走行を開始している。
【０００３】
また、テープの搬送、停止を繰り返しながら再生するコマ送り再生時には、磁気テープを１フレーム分の画像に対応するトラック分、低速で移動し、再生した後、停止している。
【０００４】
また、近年では、動画像データを、ＭＰＥＧなどを用いて可変長符号化して磁気テープに記録再生するＶＴＲも提案されている。ＭＰＥＧ２方式では、Ｉピクチャと呼ばれるフレーム内符号化されたフレームと、Ｐ，Ｂピクチャと呼ばれる予測符号化されたフレームとを所定数のフレームだけ集めて、一つの符号化単位であるＧＯＰ（Group of Pictures）を構成している。
【０００５】
【特許文献１】特開平９−５５９１１号公報
【発明の開示】
【発明が解決しようとする課題】
【０００６】
通常、デジタルＶＴＲにおいては、記録データに対してエラー訂正符号化処理が施されており、再生データ中にエラーが存在した場合でも、そのエラーを訂正することで正しいデータを得られるようにしている。
【０００７】
しかしながら、ＭＰＥＧ方式で符号化された動画像データを磁気テープにより再生する際に、再生データに訂正不能なエラーが存在した場合には、そのエラーを含むＧＯＰの全てを正しく復号できなくなり、次のＧＯＰの先頭のＩピクチャが再生されるまでは再生画像が得られないことになる。
【０００８】
例えば、前述のコマ送り再生時においては、テープの搬送と、停止とを繰り返すため、テープの搬送開始時やテープの搬送速度の減速時などにおいて、回転ヘッドがトラックを正しく走査せず、エラーが発生しやすいという問題があった。
【０００９】
そこで、本発明は、このような問題を解決し、可及的に良好な再生画像を得ることができるようにすることを目的とする。
【課題を解決するための手段】
【００１０】
本発明の再生装置は、磁気テープに形成された複数のトラックを回転ヘッドにより走査し、ｎトラック（ｎは２以上の整数）単位でエラー訂正符号化されて記録された動画像データを再生する再生手段と、前記磁気テープを搬送する搬送手段と、前記磁気テープの搬送と停止を繰り返しながら前記動画像データを再生する特殊再生モードにおいて前記磁気テープを停止する際、前記エラー訂正符号化単位の境界となるトラックを前記回転ヘッドが走査する位置で前記磁気テープを停止するよう前記搬送手段を制御する制御手段とを備えることを特徴とする。
また、本発明の他の特徴とするところは、磁気テープに形成された複数のトラックを回転ヘッドにより走査し、ｎトラック（ｎは２以上の整数）単位でエラー訂正符号化されて記録された動画像データを再生する再生手段と、前記磁気テープを搬送する搬送手段と、前記磁気テープの搬送と停止を繰り返しながら前記動画像データを再生する特殊再生モードにおいて前記磁気テープを停止する際、前記ｎトラックを単位として前記磁気テープの搬送を停止するよう前記搬送手段を制御する制御手段とを備えることを特徴とする。
また、本発明のその他の特徴とするところは、磁気テープに形成された複数のトラックを回転ヘッドにより走査し、ｎトラック（ｎは２以上の整数）単位でエラー訂正符号化されて記録された動画像データを再生する再生手段と、前記磁気テープを搬送する搬送手段と、前記磁気テープの搬送を停止すると共に再生画面をフリーズ表示するスチル再生の指示に応じて前記磁気テープを停止する際、前記エラー訂正符号化単位の境界となるトラックを前記回転ヘッドが走査する位置で前記磁気テープを停止するよう前記搬送手段を制御する制御手段とを備えることを特徴とする。
【００１１】
本発明の画像再生方法は、磁気テープに形成された複数のトラックを回転ヘッドにより走査し、ｎトラック（ｎは２以上の整数）単位でエラー訂正符号化されて記録された動画像データを再生する画像再生方法であって、前記磁気テープの搬送と停止を繰り返しながら前記動画像データを再生する指示を受け付ける指示受付ステップと、前記指示受付ステップにより受け付けられた指示に基づいて前記磁気テープを停止する際、前記エラー訂正符号化単位の境界となるトラックを前記回転ヘッドが走査する位置で前記磁気テープを停止させる磁気テープ停止ステップとを有することを特徴とする。
また、本発明の他の特徴とするところは、磁気テープに形成された複数のトラックを回転ヘッドにより走査し、ｎトラック（ｎは２以上の整数）単位でエラー訂正符号化されて記録された動画像データを再生する画像再生方法であって、前記磁気テープの搬送と停止を繰り返しながら前記動画像データを再生する指示を受け付ける指示受付ステップと、前記指示受付ステップにより受け付けられた指示に基づいて前記磁気テープを停止する際、前記ｎトラックを単位として前記磁気テープの搬送を停止させる磁気テープ停止ステップとを有することを特徴とする。
また、本発明のその他の特徴とするところは、磁気テープに形成された複数のトラックを回転ヘッドにより走査し、ｎトラック（ｎは２以上の整数）単位でエラー訂正符号化されて記録された動画像データを再生する画像再生方法であって、前記動画像データをスチル再生する指示を受け付ける指示受付ステップと、前記指示受付ステップにより受け付けられた指示に基づいて前記磁気テープを停止する際、前記エラー訂正符号化単位の境界となるトラックを前記回転ヘッドが走査する位置で前記磁気テープを停止させる磁気テープ停止ステップとを有することを特徴とする。
【発明の効果】
【００１２】
本発明によれば、エラー訂正符号化単位の境界となるトラックでテープの搬送を停止するため、再生データ中に発生されると思われるエラーの発生位置を二つのエラー訂正符号化単位に分散することができ、再生データ中のエラーを効果的に訂正することが可能となる。これにより、可及的に良好な再生画像を得ることが可能となる。
【発明を実施するための最良の形態】
【００１３】
次に、図面を参照しながら、本発明の一実施形態について説明する。
図１は、本実施形態の記録再生装置の全体構成の一例を示す図である。
図１において、１は、動画ストリームデータを記憶する磁気記録テープである。２は、磁気記録テープ１を、指示されたテープ速度で駆動させるキャプスタンモータである。３は、指示された方向およびテープ速度に応じたドライブ信号を発生させるモータドライブである。
【００１４】
４は、キャプスタンモータ２の駆動や各ブロックの動作指示を行うＣＰＵである。５は、記録時は、磁気記録テープ１上のトラックに記録されるデジタルデータを、磁気記録テープ１に記録できる信号に変調し、再生時は磁気記録テープ１から出力された電気信号を、デジタルデータに復調する変復調器である。
【００１５】
６は、取り込んだシンクブロックデータのＩＤからトラックメモリ８内のアドレスを演算して、データを転送するシンクブロック分配器である。７は、記録時は、１６本のトラック単位でエラー訂正のためのエラー訂正符号を付加し、再生時は、１６本のトラック単位で付加されたエラー訂正符号から、エラー検出およびエラー訂正を行うＥＣＣ部である。
【００１６】
８は、磁気記録テープ１に記録されるトラックのデータを記憶するトラックメモリである。９は、トラックメモリ８とＶＢＶバッファメモリ１０との間のデータ転送を行うＤＭＡ（ダイレクトメモリアクセス）部である。１０は、MPEGストリームを蓄積し、記憶するメモリ（ＶＢＶバッファ）である。
【００１７】
１１は、記録時は、画像データをMPEGエンコードして、MPEGストリームを出力し、再生時は、メモリ１０より、MPEGストリームを読み出した後に、MPEGストリームをデコードして、画像データを出力するMPEGコーデックである。
１２は、ユーザにより操作される操作部である。本実施形態の記録再生装置は、この操作部１２の操作に基づく指示に応じて、各種の動作を行う。操作部１２で行われる操作としては、例えば、スチル再生を指示するための操作や、コマ送り再生を指示するための操作や、通常再生を指示するための操作や、記録を指示するための操作などである。
【００１８】
図２は、磁気記録テープ１におけるトラックを概念的に示した図である。
図２において、磁気記録テープ１では、回転ヘッドのトレースで記録される１６本のトラック単位でＥＣＣ（Error−Correcting−Code）符号化がなされている。この１６本トラックのＥＣＣ符号化単位をＥＣＣユニット（ECC Unit）と定義している。図２では、それぞれが１６本のトラックを有する第１〜第ｎ（ｎは２以上の整数）のＥＣＣユニットを示している。
【００１９】
図３は、１つのトラック内の構造と、そのトラック内にあるシンクブロック内の構造の一例を示した図である。
図３において、２１〜２５は、トラック２０内の構造を示す。具体的に、２１は、トラック２０の先頭を示すシンクである。２２は、データが格納されているデータエリアである。２３は、データエリア２２を構成する要素のシンクブロックである。２４は、データエリア２２内に存在するＥＣＣ符号化のＣ２パリティーである。２５は、データエリア２２内に存在するサブコードであり、このサブコード２５の中には、磁気記録テープ１の始端からのトラック数を示すABSトラックナンバが書き込まれている。
【００２０】
２６〜２８は、シンクブロック内の構造を示す。具体的に、２６は、シンクブロック２３のＩＤ部であり、このＩＤ部２６内には、シンクブロックナンバ２９と、トラックペアナンバ３０とが含まれている。なお、トラックペアナンバ３０は、サブコード２５の中にあるABSトラックナンバの２bit目から６bit分のデータに一致する。２７は、データが格納されるエリアである。２８は、シンクブロック単位のＥＣＣ符号化のＣ１パリティーである。
【００２１】
まず、図１において、通常再生は、ＣＰＵ４よりモータドライブ３に対して、テープ送り方向は正方向、テープ速度は１倍速の指示が出される。モータドライブ３は、指示された送り方向とテープ速度に対応するドライブ信号を発生させ、キャプスタンモータ２を駆動する。
【００２２】
キャプスタンモータ２が駆動することにより磁気記録テープ１から記録信号が読み出される。読み出された記録信号は変復調器５によりデジタルデータに変換され、シンクブロック分配器６に入力される。シンクブロック分配器６は、シンクブロック２３の先頭にあるトラックペアナンバ３０及びシンクブロックナンバ２９と、トレースしている磁気ヘッドのチャンネルとから、トラックメモリ８に書き込むアドレスを演算し、シンクブロック単位で、変復調器５から入力されたデジタルデータをトラックメモリ８に転送する。
【００２３】
トラックメモリ８に蓄積された、記録磁気テープ１からの読み出しデータは、ＥＣＣユニット（ECC Unit）単位でＥＣＣ部７によりエラー訂正が行われる。エラー訂正の行われたＥＣＣユニット（ECC Unit）は、ＤＭＡ部９により、メモリ（VBVバッファ）１０に転送され、VBV Delay時間が経過した後にMPEGコーデック１１により読み出され、デコードされた後、画像データとして出力される。
【００２４】
また、図１において、コマ送り再生は、ＣＰＵ４よりモータドライブ３に対して、テープ送り方向は正方向、テープ速度は１／３倍速の指示が出される。モータドライブ３は、指示された送り方向とテープ速度（１／３倍速）に対応するドライブ信号を発生させ、キャプスタンモータ２を駆動する。
【００２５】
キャプスタンモータ２が駆動することにより搬送される磁気記録テープ１から記録信号が読み出される。読み出された記録信号は、磁気ヘッドがトレースされるたびに、変復調器５によりデジタルデータに変換され、シンクブロック分配器６に入力される。シンクブロック分配器６では、シンクブロックの先頭にあるトラックペアナンバ３０及びシンクブロックナンバ２９と、トレースしている磁気ヘッドのチャンネルとから、トラックメモリ８に書き込むアドレスを演算し、シンクブロック単位で、変復調器５から入力されたデータをトラックメモリ８に転送する。
【００２６】
そして、通常再生の３倍の時間をかけて、トラックメモリ８にＥＣＣユニット（ECC Unit）分のデータを蓄積する。トラックメモリ８にＥＣＣユニット（ECC Unit）分のデータが蓄積されるごとに、ＥＣＣ部７、ＤＭＡ部９、メモリ（VBVバッファ）１０、及びMPEGコーデック１１が起動し、前述した処理を行う。そして、処理した結果が、MPEGコーデック１１から、画像データとして出力される。
【００２７】
次に、通常再生からスチル再生状態に入るためのテープ送り制御に関して説明する。図４は、通常再生からスチル再生に移行する際の記録再生装置の動作の一例を説明するフローチャートである。
スチル再生の指示があるとＣＰＵ４は、再生画面をフリーズする（ステップＳ４０１）。
次に、ＣＰＵ４は、サブコード２５内にあるABSトラックナンバを読み出し、読み出したABSトラックナンバを現在のトラック番号として記憶する（ステップＳ４０２）。記憶した現在のトラック番号を変数Ａとする。
【００２８】
次に、ＣＰＵ４は、この現在のトラック番号を表す変数Ａを含むＥＣＣユニットの次のＥＣＣユニット（１６トラック）における最終のトラック番号を、この変数Ａに基づいて算出する。算出した最終のトラック番号を変数Ｂとする（ステップＳ４０３）。具体的には、変数Ａに３２を加算した値を１６で除した値（＝（Ａ＋３２）／１６）の整数部分に１６を乗じて、最終のトラック番号を表す変数Ｂを算出する。
なお、最終のトラック番号を表す変数Ｂの算出方法は、このような方法に限定されない。例えば、１ＥＣＣユニット（１６トラック）内における何番目のトラックかを示す情報を記録しておき、この情報と現在の絶対トラック番号の情報とから、次のＥＣＣユニットの最後のトラック番号（すなわち変数Ｂ）を容易に検出するようにしてもよい。
【００２９】
このような演算を行うことによって、現在のトラック番号（磁気記録テープ１の位置）に、１ＥＣＣユニット（１６トラック）分加えたトラック以降の直近のＥＣＣユニットの境界が得られる。
【００３０】
そして、そのまま磁気記録テープ１の搬送を続け、次のトラックを再生すると（ステップＳ４０４）、ＣＰＵ４は、再生中のトラック番号を検出し（ステップＳ４０５）、この再生中のトラック番号が前記変数Ｂとなったことを検出すると（ステップＳ４０６のＹＥＳ）、モータドライブ３を制御して磁気記録テープ１の搬送を停止する。
【００３１】
この様にして磁気記録テープ１の停止位置を制御することで、スチル再生時において、二つのＥＣＣユニットの境界部分を磁気ヘッドが走査することになり、再生データ中のエラーを二つのＥＣＣユニットに分散させることができる。そのため、一つのＥＣＣユニット内で磁気記録テープ１の搬送を停止してスチル再生を行う場合に比べ、再生データ中で訂正不能となるエラーの数を減らすことが可能となる。
【００３２】
次に、図５のフローチャートを参照しながら、このようなスチル再生状態からコマ送りを行う際の記録再生装置の動作の一例を説明する。
ＣＰＵ４は、サブコード２５内にあるABSトラックナンバを読み出し、読み出したABSトラックナンバを現在のトラック番号として記憶する（ステップＳ５０１）。記憶した現在のトラック番号を変数Ｃとする。
【００３３】
そして、ＣＰＵ４は、この変数Ｃに基づいて、次のＥＣＣユニットの最終のトラック番号を算出して記憶する（ステップＳ５０２）。記憶した最終のトラック番号を変数Ｄとする。具体的には、変数Ｃに１６を加えた値が変数Ｄとなる。
【００３４】
そして、ユーザからコマ送りの要求があると（ステップＳ５０３）、ＣＰＵ４は、１フレームの平均トラック数である値１０を変数Ｃに加え、変数Ｃに１０を加えた値を新たな変数Ｃとし（ステップＳ５０４）、変数Ｃが変数Ｄ以上となったか否かを判別する（ステップＳ５０５）。この判別の結果、変数Ｃが変数Ｄに達していない場合にはそのまま磁気記録テープ１を搬送せず、ステップＳ５０３に戻る。
【００３５】
一方、変数Ｃが変数Ｄ以上となった場合には、磁気記録テープ１の搬送を開始し、変数Ｄに対応するトラック番号の位置で、磁気記録テープ１の搬送を停止してスチル再生に再び移行する（ステップＳ５０６）。
以上に述べたような処理により、スチル再生時の磁気ヘッドのトレース位置をＥＣＣユニット（ECC Unit）の境界にすることができ、キャプスタンモータ２の停止時の減速、起動時の加速のときに発生する再生エラーを２つのＥＣＣユニット（ECC Unit）の領域に分散でき、訂正能力を向上できる。
【００３６】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００３７】
また、この場合、前記ソフトウェアのプログラムコード自体が上述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００３８】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００３９】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００４０】
【図１】本発明の実施形態を示し、記録再生装置の全体構成の一例を示す図である。
【図２】本発明の実施形態を示し、磁気記録テープにおけるトラックを概念的に示した図である。
【図３】本発明の実施形態を示し、トラック内の構造と、そのトラック内にあるシンクブロック内の構造の一例を示した図である。
【図４】本発明の実施形態を示し、通常再生からスチル再生に移行する際の記録再生装置の動作の一例を説明するフローチャートである。
【図５】本発明の実施形態を示し、スチル再生状態からコマ送りを行う際の記録再生装置の動作の一例を説明するフローチャートである。
【符号の説明】
【００４１】
１  磁気記録テープ
２  キャプスタンモータ
３  モータドライブ
４  ＣＰＵ
５  変復調器
６  シンクブロック分配器
７  ＥＣＣ部
８  トラックメモリ
９  ＤＭＡ部
１０  メモリ
１１  MPEGコーデック
２１  シンク
２２  データエリア
２３  シンクブロック
２４  Ｃ２パリティー
２５  サブコード
２６  ＩＤ部
２７  データ
２８  Ｃ１パリティー
２９  シンクブロックナンバ
３０  トラックペアナンバ
【図１】
2006295644.tif 000003
【図２】
2006295644.tif 000004
【図３】
2006295644.tif 000005
【図４】
2006295644.tif 000006
【図５】
2006295644.tif 000007